(57)【要約】【課題】自転車用靴において、スパイクを装着しても足底に衝撃が伝わりにくくする。【解決手段】自転車用靴１０は、自転車用靴は、アッパー部と、靴底部１４と、スパイク１６と、スパイク固定部１８と、クリート固定部２０と、を備えている。アッパー部は、足の甲を覆う。靴底部１４は、弾性体製の下ソール部２４と、合成樹脂製の上ソール部２６と、合成樹脂製の中間ソール部２８と、を有している。下ソール部はアッパー部に固定されている。上ソール部は下ソール部の上方に足底に対向して配置される。中間ソール部は、下ソール部と上ソール部との間に配置され、上ソール部より外形が小さい。スパイクは、下ソール部から突出して配置される。スパイク固定部は、中間ソール部に設けられスパイクを固定可能である。クリート固定部は、中間ソール部に設けられクリート４０を固定可能である。【選択図】図５
2010263969.tif 000002
【特許請求の範囲】
【請求項１】
自転車のペダルと共に使用するためのクリートを固定可能な自転車用靴であって、
足の甲を覆うアッパー部と、
前記アッパー部に固定された弾性体製の下ソール部、前記下ソール部の上方に、足底に対向して配置される合成樹脂製の上ソール部、及び前記下ソール部と前記上ソール部との間に配置され、前記上ソール部より外形が小さい合成樹脂製の中間ソール部、を有する靴底部と、
前記下ソール部から突出して配置される少なくとも一つのスパイクと、
前記中間ソール部に設けられ前記スパイクを固定可能なスパイク固定部と、
前記中間ソール部に設けられ前記クリートを固定可能なクリート固定部と、
を備えた自転車用靴。
【請求項２】
前記下ソール部は、前記クリートが前記靴底部の底面から突出しないように収納するクリート収納部と、前記スパイクが通過可能な少なくとも一つのスパイク通過孔と、を有する、請求項１に記載の自転車用靴。
【請求項３】
前記中間ソール部は、前記上ソール部より機械的強度が高い、請求項１又は２に記載の自転車用靴。
【請求項４】
前記下ソール部は、前記中間ソール部を収納可能な収納凹部を有し、
前記上ソール部は、下面に前記中間ソール部と密着する密着凸部を有し、
前記アッパー部は、前記下ソール部と前記上ソール部との間で前記下ソール部に接着されて固定される、請求項１から３のいずれか１項に記載の自転車用靴。
【発明の詳細な説明】
【技術分野】
【０００１】
本発明は、靴、特に、自転車のペダルと共に使用するためのクリートを固定可能な自転車用靴に関する。
【背景技術】
【０００２】
自転車用の靴には、自転車のペダルと共に使用するためのクリートを固定可能なものが従来知られている。クリートは、ペダルに設けられたビンディングに着脱自在に係止可能である。従来の自転車用靴は、足の甲を覆うアッパー部と、アッパー部に固定された靴底部と、を備えている。靴底部には、クリートを固定するためのねじ孔を有するクリート固定部が装着されている。
【０００３】
この種の自転車用靴、特にマウンテンバイク用の靴において、歩行時の滑り止めのための金属製のスパイクを装着可能な靴が従来知られている（例えば、特許文献１参照）。スパイクは、靴底のつま先側に装着されたスパイク固定部に固定される。従来の自転車用靴の靴底部は、硬質の上ソール部（補強板）と、合成ゴム製の軟質の下ソール部（靴底）と、を有している。上ソール部に、クリート固定部が装着されクリートが固定される。また、上ソール部のつま先側にスパイク固定部が装着され、スパイクが固定される。
【先行技術文献】
【特許文献】
【０００４】
【特許文献１】特表２００１−５２３１４８号公報
【発明の概要】
【発明が解決しようとする課題】
【０００５】
従来の自転車用靴では、上ソール部にスパイクが装着されている。このため、歩行時にスパイクに衝撃が加わると、その衝撃が上ソール部から足底に直接伝わってしまう。このように歩行時に足底に直接衝撃が伝わると、衝撃によりライダーの足が疲れやすくなる。
【０００６】
本発明の課題は、自転車用靴において、スパイクを装着しても足底に衝撃が伝わりにくくすることにある。
【課題を解決するための手段】
【０００７】
発明１に係る自転車用靴は、自転車のペダルと共に使用するためのクリートを固定可能な靴である。自転車用靴は、アッパー部と、靴底部と、少なくとも一つのスパイクと、スパイク固定部と、クリート固定部と、を備えている。アッパー部は、足の甲を覆う。靴底部は、弾性体製の下ソール部と、合成樹脂製の上ソール部と、合成樹脂製の中間ソール部と、を有している。下ソール部は、アッパー部に固定されたものである。上ソール部は、下ソール部の上方に足底に対向して配置される。中間ソール部は、下ソール部と上ソール部との間に配置され、上ソール部より外形が小さい。スパイクは、下ソール部から突出して配置される。スパイク固定部は、中間ソール部に設けられスパイクを固定可能である。クリート固定部は、中間ソール部に設けられクリートを固定可能である。
【０００８】
この自転車用靴では、靴底部が下ソール部と、上ソール部と、中間ソール部の３つの部材で構成され、中間に配置された中間ソール部にスパイク固定部が設けられている。このため、スパイクに衝撃が作用しても、その衝撃が、中間ソール部から上ソール部を介して足底に伝わる。したがって、衝撃が足底に直接伝達されなくなり、スパイクを装着しても足底に衝撃が伝わりにくくなる。
【０００９】
発明２に係る自転車用靴は、発明１に記載の靴において、下ソール部は、クリートが靴底部の底面から突出しないように収納するクリート収納部と、スパイクが通過可能な少なくとも一つのスパイク通過孔と、を有する。この場合には、弾性体製の下ソール部からクリートが突出しないので、接地面にクリートが接触しなくなり、ライダが歩行しやすくなる。
【００１０】
発明３に係る自転車靴は、発明１又は２に記載の靴において、中間ソール部は、上ソール部より機械的強度が高い。この場合に、スパイクからの衝撃が作用する中間ソール部の機械的な強度が強いので、スパイクを強固に固定できるとともに、衝撃が上ソール部に伝わりにくくなる。
【００１１】
発明４に係る自転車用靴は、発明１から３のいずれかに記載の靴において、下ソール部は、中間ソール部を収納可能な収納凹部を有する。上ソール部は、下面に中間ソール部と密着する密着凸部を有する。アッパー部は、下ソール部と上ソール部との間で下ソール部に接着されて固定される。
【００１２】
この場合には、アッパー部に通常使用される合成皮革や通気性を有する素材などとの接着性が良好な弾性体製の下ソール部にアッパー部を接着できる。このため、アッパー部を強固に接着固定できる。
【発明の効果】
【００１３】
本発明によれば、靴底部が下ソール部と、上ソール部と、中間ソール部の３つの部材で構成され、中間に配置された中間ソール部にスパイク固定部が設けられている。このため、スパイクに衝撃が作用しても、その衝撃が、中間ソール部から上ソール部を介して足底に伝わる。このため、衝撃が直接足底に伝達されなくなり、スパイクを装着しても足底に衝撃が伝わりにくくなる。
【図面の簡単な説明】
【００１４】
【図１】本発明の一実施形態による自転車用靴の側面図。
【図２】本発明の一実施形態による自転車用靴の平面図。
【図３】その底面図。
【図４】図３のIV−IV断面図。
【図５】靴底部の分解斜視図。
【図６】下ソール部の平面図。
【図７】上ソール部の平面図。
【図８】中間ソール部の平面図。
【発明を実施するための形態】
【００１５】
図１から図３において、本発明の一実施形態による自転車用靴１０は、ビンディングを有するペダルＰＤと共に使用するためのクリート４０を固定可能な靴である。自転車用靴１０は、足の甲を覆うアッパー部１２と、アッパー部１２に固定された靴底部１４とを備えている。また、自転車用靴１０は、靴底部１４から突出するスパイク１６と、靴底部１４に設けられスパイク１６を固定するスパイク固定部１８と、クリート４０を固定するためのクリート固定部２０と、を備えている。
【００１６】
アッパー部１２は、通気性を有する布地と合成皮革とを用いて構成されている。アッパー部１２には、面ファスナで足の甲を締め付け可能な、複数（例えば３本）の締め付けベルト２２ａ，２２ｂ，２２ｃが装着されている。アッパー部１２は、図４に示すように、靴底部１４の後述する下ソール部２４と上ソール部２６との隙間に挿入されて下ソール部２４及び上ソール部２６に接着剤により固定されている。
【００１７】
靴底部１４は、図４及び図５に示すように、アッパー部１２に固定された下ソール部２４と、上ソール部２６と、中間ソール部２８と、敷き皮２９と、を有している。
【００１８】
下ソール部２４は、例えば合成ゴム等の弾性体製の部材である。下ソール部２４は、図３から図６に示すように、下面にクリート４０を収納可能なクリート収納部２４ａと、ペダルＰＤから自転車用靴１０が脱落するのを防止する靴脱落防止部２４ｂと、を有している。また、つま先側にスパイク１６が貫通するスパイク貫通孔２４ｃが形成されている。下ソール部２４は、上面に中間ソール部２８を収納可能な収納凹部２４ｄを有している。収納凹部２４ｄは、中間ソール部２８の厚みと実質的に同じ長さ凹んで形成されている。これにより、中間ソール部２８の上面と下ソール部２４の上面とが実質的に面一となる。
【００１９】
クリート収納部２４ａは、クリート固定部２０を含むように凹んで形成されている。クリート収納部２４ａは、クリート固定部２０に固定されたクリート４０を底面から突出しないように収納可能であり、この実施形態では、下ソール部２４の上下面を貫通して形成されている。靴脱落防止部２４ｂは、クリート固定部２０の後方に凹んで形成されている。靴脱落防止部２４ｂは、クリート収納部２４ａと連続して形成されており、後方に行くに従い先細りに形成されている。したがって、この実施形態では、靴脱落防止部２４ｂは下ソール部２４を貫通していない。
【００２０】
上ソール部２６は、図４，図５及び図７に示すように、下ソール部２４の上方に、足底に対向して配置される部材である。上ソール部２６は、例えばポリアミド樹脂等の比較的硬質な合成樹脂製の部材である。上ソール部２６は、下ソール部２４より僅かに小さい外形を有している。上ソール部２６は、上面にクリート４０を固定するためのボルト部材４２がねじ込まれる雌ねじを有するナット部材４４を配置するための概ね矩形の配置凹部２６ａを有している。配置凹部２６ａには、クリート固定部２０を構成する２本のスリット２０ａ，２０ｂが前後方向に沿って形成されている。スリット２０ａ，２０ｂには、ナット部材４４が装着されている。これにより、クリート４０の装着位置を前後方向に調整できる。
【００２１】
ナット部材４４は、図４に示すように、第１スリット２０ａ，２０ｂ及び後述する第２スリット２０ｃ，２０ｄに嵌合する２つのナット部４４ａと、２つのナット部４４ａが両端に配置されたプレート部４４ｂと、を有している。また、上ソール部２６は、下面に中間ソール部２８に密着する密着凸部２６ｂを有している。密着凸部２６ｂは、中間ソール部２８の外形と実質的に同じ形状に突出して形成されている。このため、上ソール部２６と下ソール部２４との間には、密着凸部２６ｂの周囲に隙間３０（図４）が形成される。この隙間３０に前述したようにアッパー部１２が挿入されて固定される。
【００２２】
中間ソール部２８は、図４，図５及び図８に示すように、下ソール部２４と上ソール部２６との間に配置されている。具体的には、下ソール部２４に形成された収納凹部２４ｄに配置されている。中間ソール部２８は、例えば、ポリアミド樹脂にガラス繊維を混入させたガラス繊維強化樹脂製であり、上ソール部２６より硬質で機械的強度が高くなっている。中間ソール部２８の前部（つま先側）には、間隔を隔てて一体形成された２つのスパイク固定部１８が形成されている。スパイク固定部１８は、筒状であり、その内周面にスパイク固定用の雌ねじ部１８ａが形成されている。スパイク固定部１８は、前下方に向かって斜めに形成されている。中間ソール部２８のスリット２０ａ，２０ｂに対向する位置には、クリート固定部２０を構成する第２スリット２０ｃ，２０ｄが形成されている。第２スリット２０ｃ，２０ｄは、第１スリット２０ａ，２０ｂより僅かに幅が狭い。中間ソール部２８と上ソール部２６とは、両者のいずれか一方から突出して形成された位置決め凸部及びいずれか他方に凹んで形成された位置決め凹部により位置決めされる。
【００２３】
敷き皮２９は、例えば、上ソール部２６の上面に接着されており、足底にあわせて湾曲して形成されている。なお、敷き皮２９を上ソール部２６に接着しなくても良い。
【００２４】
スパイク１６は、図５に示すように、先端に金属製の鋲部１６ａが一体形成された合成樹脂製の部材である。スパイクの基端には、ねじ部１６ｂが形成されており、スパイク固定部１８の雌ねじ部１８ａにねじ込み固定される。
【００２５】
スパイク固定部１８は、前述したように中間ソール部２８の先端に中間ソール部２８と一体形成されている。
【００２６】
クリート固定部２０は、前述したスリット２０ａ，２０ｂ及びスリット２０ｃ，２０ｄと、ボルト部材４２と、ナット部材４４と、を有している。クリート４０には、一面に長円形凹部４０ａが形成されており、長円形凹部４０ａには、長円形凹部４０ａより小径の長円形孔４０ｂが形成されている。長円形凹部４０ａには、２つの固定孔４６ａを有する長円形のワッシャ部材４６が装着されている。この固定孔４６ａを貫通して２本のボルト部材４２がナット部材４４にねじ込まれてクリート４０が自転車用靴１０に固定されている。また、このとき、上ソール部２６と中間ソール部２８とがボルト部材４２により締結される。
【００２７】
このように構成された自転車用靴１０では、靴底部１４が、下ソール部２４と、上ソール部２６と、中間ソール部２８の３つの部材で構成され、中間に配置された中間ソール部２８にスパイク固定部１８が設けられている。このため、スパイク１６に衝撃が作用しても、その衝撃が、中間ソール部２８から上ソール部２６を介して足底に伝わる。このため、衝撃が直接足底に伝達されなくなり、スパイク１６を装着しても足底に衝撃が伝わりにくくなる。
【００２８】
また、クリート４０をペダルＰＤから外して自転車用靴１０を前方にずらし、図３に示すように、靴脱落防止部２４ｂをペダルＰＤに配置すると、凹んで形成された靴脱落防止部２４ｂの縁部がペダルＰＤに引っ掛かる。このため、クリート４０をペダルＰＤに係止しなくても、ペダルＰＤが左右に移動しにくくなり、ペダルＰＤから自転車用靴１０が容易に脱落するのを防止できる。
【００２９】
＜他の実施形態＞
以上、本発明の一実施形態について説明したが、本発明は上記実施形態に限定されるものではなく、発明の要旨を逸脱しない範囲で種々の変更が可能である。
【００３０】
（ａ）前記実施形態では、上ソール部２６にポリアミド樹脂を用い、中間ソール部２８にポリアミド樹脂にガラス繊維を混入させたガラス繊維強化樹脂を用いたが本発明はこれに限定されなない。中間ソール部２８は、上ソール部２６より機械的強度が高いものが好ましい。たとえば、中間ソール部２８に用いるものとしては、ガラス繊維強化樹脂（ＧＦＲＰ）や炭素繊維強化樹脂（ＧＦＲＰ）等の繊維に合成樹脂を含浸させた繊維強化樹脂を用いても良い。また、弾性を有する金属素材を用いても良い。さらに金属素材と合成樹脂素材とをインサート成型等の手法により一体形成したハイブリッド素材を用いても良い。
【００３１】
（ｂ）前記実施形態では、スパイク固定部１８を中間ソール部２８に一体形成したが、スパイク固定部１８は、中間ソール部２８と別体であっても良い。たとえば、中間ソール部に金属製のナット部材を回り止めして装着しても良い。また、中間ソール部に金属製のナット部材をインサート成型により固定しても良い。
【００３２】
（ｃ）前記実施形態では、クリート固定部２０を構成するスリット２０ａ，２０ｂを上ソール部２６にも形成したが、本発明はこれに限定されない。たとえば、上ソール部に貫通する収納凹部を形成し、中間ソール部にだけスリットを形成しても良い。この場合、ねじ部材のナット部は、中間ソール部のスリットに係合する。
【００３３】
（ｄ）前記実施形態では、クリート固定部２０のナット部材４４を中間ソール部２８と別体で構成したが、中間ソール部と一体形成しても良い。
【符号の説明】
【００３４】
１０    自転車用靴
１２    アッパー部
１４    靴底部
１６  スパイク
１８  スパイク固定部
２０  クリート固定部
２４  下ソール部
２４ａ  クリート収納部
２４ｂ  靴脱落防止部
２６  上ソール部
２６ａ  収納凹部
２６ｂ  密着凸部
２８  中間ソール部
４０  クリート
ＰＤ  ペダル
【図１】
2010263969.tif 000003
【図２】
2010263969.tif 000004
【図３】
2010263969.tif 000005
【図４】
2010263969.tif 000006
【図５】
2010263969.tif 000007
【図６】
2010263969.tif 000008
【図７】
2010263969.tif 000009
【図８】
2010263969.tif 000010